(57)【要約】      （修正有）【課題】太陽のような光源の位置の変化にかかわらず、取り入れる光を部屋の一定の領域に照射することができ、かつ設置面積の小さい採光装置を提供する。【解決手段】多段に配された複数のスラット１３を有する採光装置１１であって、複数のスラット１３の各々は、スラット１３の長手方向に沿って周期的に形成された複数の反射領域を有する反射面を備えた第１の副スラット１３ａと、第１の副スラット１３ａの反射面側に配されている第２の副スラット１３ｂと、第１の副スラット１３ａに対して第２の副スラット１３ｂをスラットの長手方向に沿って相対的にスライドさせる手段とを有し、第２の副スラット１３ｂは、複数の反射領域の各々に対応した複数の透光部１７を有しており、複数の反射領域の各々は、第１の副スラット１３ａの長手方向に沿って面法線が変化する断面形状を有している。【選択図】図１
2014177789.tif 000002
【特許請求の範囲】
【請求項１】
多段に配された複数のスラットを有する採光装置であって、
前記複数のスラットの各々は、
前記スラットの長手方向に沿って周期的に形成された複数の反射領域を有する反射面を備えた第１の副スラットと、
前記第１の副スラットの前記反射面側に配されている第２の副スラットと、
前記第１の副スラットに対して前記第２の副スラットを前記スラットの長手方向に沿って相対的にスライドさせる手段と、を有し、
前記第２の副スラットは、前記複数の反射領域の各々に対応した複数の透光部を有しており、
前記複数の反射領域の各々は、前記第１の副スラットの長手方向に沿って面法線が変化する断面形状を有していることを特徴とする採光装置。
【請求項２】
前記複数のスラットのうちの隣接するスラットの前記第１の副スラットは、前記スラットの長手方向に沿った軸周りの角度が互いに異なるように配されていることを特徴とする請求項１に記載の採光装置。
【請求項３】
前記複数のスラットは鉛直方向に多段に配され、前記採光装置の下段にある前記第１の副スラットの前記スラットの長手方向に沿った軸周りの水平面に対する角度が、前記採光装置の上段にある前記第１の副スラットの前記スラットの長手方向に沿った軸周りの水平面に対する角度より大であることを特徴とする請求項１または２に記載の採光装置。
【請求項４】
前記反射領域の各々は、フレネル反射面を形成していることを特徴とする請求項１乃至３のいずれか１に記載の採光装置。
【発明の詳細な説明】
【技術分野】
【０００１】
本発明は、採光装置に関する。
【背景技術】
【０００２】
近年、窓等に設置して、太陽光を室内に取り込み、その光を用いて室内照明の補助を行うことができるブラインド装置が提案されている。特許文献１には、ブラインドのスラットの角度を上部のスラットから下部のスラットに掛けて順次変化させることで、部屋全体に均一に光を採り入れるブラインド装置が開示されている。また、特許文献２には、スラットをその長手方向に沿って傾けることで、太陽の位置の変化に対応するブラインド装置が開示されている。
【先行技術文献】
【特許文献】
【０００３】
【特許文献１】特開平１０−３１７８５０号公報
【特許文献２】特開２０１１−１７９２２５号公報
【発明の概要】
【発明が解決しようとする課題】
【０００４】
特許文献１に記載のブラインド装置を用いた場合、ブラインド装置によって反射された光が照射される位置は、太陽の位置の変化によって変わってしまうという問題があった。例えば、太陽の位置によって、照らされる位置が変わってしまう、すなわち太陽の南中時には天井が照らされるものの、東傾または西傾している場合に部屋の壁が照らされたりしてしまうため、安定した補助照明となり得なかった。また、特許文献２に記載のブラインド装置では、スラットの傾斜角度を調整することによって太陽の位置の変化に対応することができるが、スラットを傾けた際に、ブラインド装置と窓の周縁との間の隙間から太陽光が直接入射しないように、窓に対してより大きいブラインド装置とする必要があった。
本発明は、上述した点に鑑みてなされたものであり、太陽のような光源の位置の変化にかかわらず、取り入れる光を部屋の一定の領域に照射することができ、かつ設置面積の小さい採光装置を提供することを目的とする。
【課題を解決するための手段】
【０００５】
本発明の採光装置は、多段に配された複数のスラットを有する採光装置であって、当該複数のスラットの各々は、当該スラットの長手方向に沿って周期的に形成された複数の反射領域を有する反射面を備えた第１の副スラットと、当該第１の副スラットの当該反射面側に配されている第２の副スラットと、当該第１の副スラットに対して当該第２の副スラットを当該スラットの長手方向に沿って相対的にスライドさせる手段と、を有し、当該第２の副スラットは、当該複数の反射領域の各々に対応した複数の透光部を有しており、当該複数の反射領域の各々は、当該第１の副スラットの長手方向に沿って面法線が変化する断面形状を有していることを特徴とする。
【図面の簡単な説明】
【０００６】
【図１】実施例１の採光装置の斜視図である。
【図２】図１の採光装置の側面図である。
【図３Ａ】スラットの斜視図である。
【図３Ｂ】図３Ａの３Ｂ−３Ｂ線に沿った断面図である。
【図３Ｃ】図３Ｂの領域Ａの拡大図である。
【図４Ａ】スラットに対する入射光及び反射光を示す図である。
【図４Ｂ】スラットに対する入射光及び反射光を示す図である。
【図４Ｃ】スラットに対する入射光及び反射光を示す図である。
【図５】実施例１の採光装置を窓に設置した場合の様子を示す図である。
【図６】実施例２の採光装置の側面図である。
【図７】実施例２の採光装置を窓に設置した場合の様子を示す図である。
【図８】他の実施例の反射領域を示す図である。
【図９】他の実施例の反射領域を示す図である。
【図１０】他の実施例の採光装置の斜視図である。
【図１１】他の実施例の採光装置の斜視図である。
【図１２】他の実施例の採光装置の側面図である。
【発明を実施するための形態】
【０００７】
［実施例１］
以下に、本発明の実施例１に係る採光装置１０について説明する。図１は、採光装置１０の斜視図である。図２は、採光装置１０の側面図である。ヘッドレール１１は、直方体の中空部材である。ヘッドレール１１が、窓枠、壁面または天井面等に固定されることで、採光装置１０が設置される。なお、以下の説明において、図１における採光装置の手前側面を採光装置の前面、採光装置の設置時に光源に面する奥側面を採光装置の後面として説明する。
【０００８】
ヘッドレール１１の下には、例えば５枚のスラット１３が、採光装置１０を設置した際の鉛直方向に並んで配置されている。スラット１３は、上面に反射面１５を有する矩形板状の第１の副スラットとしての反射スラット１３ａと、反射スラット１３ａ上に配されており複数の透光部１７を有する矩形板状の第２の副スラットとしての透光スラット１３ｂと、が重ねられて形成されている。反射スラット１３ａ及び透光スラット１３ｂは、それぞれ後述するラダーテープによって支持されており、採光装置１０の前後方向における水平面に対する傾き、すなわち前記スラットの長手方向に沿った軸周りの水平面に対する傾き角度αが、例えば３０°の状態で支持されている。
【０００９】
ヘッドレール１１内には、例えば電気モータからなる第１の駆動部１９及び第２の駆動部２１が配されており、第１の駆動部１９及び第２の駆動部２１の各々からは、ヘッドレール１１の長手方向に沿って伸張する第１の駆動軸２３及び第２の駆動軸２５が突出している。第１の第１の駆動軸２３及び第２の駆動軸２５は、それぞれ第１の駆動部１９及び第２の駆動部２１によって、軸心方向、すなわち実線矢印方向にスライド移動させられることが可能である。第１の駆動部１９及び第２の駆動部２１は、これらに付随しているボタンスイッチ（図示せず）等で操作されても良いし、リモコン（図示せず）等で操作されてもよい。
【００１０】
第１の駆動軸２３の両端部には、円柱形の第１のラダーテープ懸架部２７が設けられており、第２の駆動軸２５の両端部には、円柱形の第２のラダーテープ懸架部２９が設けられている。第１のラダーテープ懸架部２７の各々には、反射スラット１３ａを支持する第１のラダーテープ３１が懸架されている。また、第２のラダーテープ懸架部２９の各々には、透光スラット１３ｂを支持する第２のラダーテープ３３が懸架されている。
【００１１】
第１のラダーテープ３１は、第１のラダーテープ懸架部２７の側面に懸架され、スラット１３を挟み込むように配されている垂直テープ３１ａと、スラット１３の前面に配されている垂直テープ３１ａとスラット１３の背面に配されている垂直テープ３１ａとの間を接続し、垂直テープ３１ａの伸長方向に等間隔に配された中段テープ３１ｂと、を有するはしご状の形状をしている。各中段テープ３１ｂに反射スラット１３ａが接着等で固定支持されて等間隔に配置されている。
【００１２】
第２のラダーテープ３３は、第１のラダーテープ３１と同様に、第２のラダーテープ懸架部２９の側面に懸架され、スラット１３を挟み込むように配されている垂直テープ３３ａと、スラット１３の前面に配されている垂直テープ３３ａとスラット１３の背面に配されている垂直テープ３３ａとの間を接続し、垂直テープ３３ａの伸長方向に等間隔に配された中段テープ３３ｂと、を有するはしご状の形状をしている。各中段テープ３３ｂに透光スラット１３ｂが接着等で固定支持されて等間隔に配置されている。なお、第１のラダーテープ３１及び第２のラダーテープ３３は、それぞれ第１のラダーテープ懸架部２７及び第２のラダーテープ懸架部２９の表面に対して滑ることのないように懸架されている。
【００１３】
ここで、図３Ａ及び図３Ｂを用いてスラット１３について詳しく説明する。図３Ａは、図１のスラット１３の１つの拡大斜視図である。図３Ｂは、図３Ａの３Ｂ−３Ｂ線に沿った断面を示した断面図である。また、図３Ｃは、図３Ｂの領域Ａの拡大図である。領域Ａには、１の反射領域１５ａ及びそれに対向して配されている透光部１７が含まれている。なお。図３Ａにおいては、各部の明瞭さのために、反射スラット１３ａと透光スラット１３ｂとの距離を大きくし、分解斜視図的に示している。また、スラット１３の長手方向に沿った軸を長手軸Ｘとする。
【００１４】
スラット１３は、上面に反射面１５を有する反射スラット１３ａ、反射スラット１３ａの反射面１５の上方に形成されており、複数の透光部１７を有する透光スラット１３ｂを有している。本実施例のスラット１３においては、透光スラット１３ｂの透光部１７を通過した光が、反射スラット１３ａの反射面１５に反射されて、透光部１７から外部に出射される構造になっている。
【００１５】
反射スラット１３ａは、例えば、アルミ等の光反射性金属で形成されている。反射スラット１３ａの反射面１５は、スラット１３の長手方向に沿って、面法線が変化する断面形状を有している。具体的には、例えば、反射面１５は、反射スラット１３ａの長手方向に沿って配されている曲面鏡からなる複数の反射領域１５ａからなっている。図３Ｃに示すように、反射領域１５ａを形成する曲面鏡は、例えば、幅Ｗ１が１０ｍｍ、高さＨ１が５ｍｍとなっており、中央軸Ｃについて線対称の形状を有している。なお、反射鏡を形成する曲面鏡は、放物面反射鏡であってもよいし、半円状の断面を有する反射鏡であってもよい。なお、反射スラット１３ａは、樹脂等の光反射性を有さない材料で形成し、反射面１５に光反射性の材料を塗布、蒸着または貼り付け等することで形成してもよい。
【００１６】
透光スラット１３ｂは、例えば、例えばＡＢＳ（アクリロニトリル・ブタジエン・スチレン共重合）樹脂等の不透光性樹脂からなっている。透光スラット１３ｂの透光部１７は、反射面１５の反射領域１５ａの各々と対向する領域に配されているスリット状の開口部である。透光部１７の幅Ｗ２は、反射領域３１ａの幅Ｗ１よりも小さく、例えば、１−２ｍｍ程度であってもよい。なお、透光スラットは金属または透明樹脂からなっていてもよい。透光スラット１３ｂを金属で形成する場合は、透光スラット１３ｂの表面に非反射材料を形成することとしてもよいし、透光スラット１３ｂの表面に粗し加工を施す等して、光が散乱するようにすることとしてもよい。透光スラット１３ｂを、アクリルまたはポリカーボネート等の透光性樹脂またはガラス等の透光性材料で形成する場合には、透光性材料の表面を不透光性の材料で覆って、透光部１７以外の部分の不透光性を確保してもよい。
【００１７】
反射スラット１３ａと透光スラット１３ｂとは、スラット１３の長手方向に沿って相対的移動させられることが可能である。この移動は、上述した第１の駆動部１９及び第２駆動部２１による第１の駆動軸２３と第２の駆動軸２５との相対的なスライド移動により、第１のラダーテープ懸架部２７と第２のラダーテープ懸架部２９が相対的にスライド移動し、それによって第１のラダーテープ３１と第２のラダーテープ３３とが相対的にスライド移動することでなされる。なお、反射スラット１３ａと透光スラット１３ｂとの相対的なスライド移動は、図３Ｂの断面図において、透光部１７の中心が中央軸Ｃと一致する状態（基準状態）を基準として行われてもよい。
【００１８】
この反射スラット１３ａと透光スラット１３ｂとを相対的にスライド移動させることによって、透光スラット１３ｂの透光部１７と対向する反射領域１５ａの領域、すなわち入射光が入射する領域を変化させることで、採光装置から出射する光の出射方向を入射光の入射方向にかかわらず所定の方向に調整することができる。
【００１９】
ここで、図４Ａ乃至図４Ｃを用いて、反射スラット１３ａと透光スラット１３ｂとの相対的な移動と、それによる出射光の調整について説明する。図４Ａ−Ｃは、図３Ｃと同様の領域Ａの拡大図である。ここでは、一例として、採光装置１０を真南に向いた窓に設置した場合に、透光スラット１３ｂ側から入射した光（例えば太陽光）をスラット１３の長手軸Ｘに垂直な方向に出射させる場合について説明する。また、入射光を破線矢印で、出射光を実線矢印で示す。
【００２０】
図４Ａに示すように、太陽が南中した際には、入射光はスラット１３の長手軸Ｘに垂直な方向から光が入射する。この場合、反射スラット１３ａと透光スラット１３ｂとを相対移動させずに基準状態とすることで、入射光を反射スラット１３ａの反射領域３１ａの中央部で反射させ、出射光をスラット１３の長手軸Ｘに垂直な方向に出射させることができる。
【００２１】
図４Ｂ及び図４Ｃに示すように、午前に太陽が東に傾いている場合（図３Ｂ）または午後に太陽が西に傾いている場合、すなわち、入射光がスラットの長手軸Ｘに垂直ではない方向から入射する場合、透光スラット１３ｂを反射スラット１３ａに対して入射光の長手軸Ｘに沿った方向成分の正方向に所定量スライドさせることで、出射光をスラット１３の長手軸Ｘと垂直な方向に出射させることができる。
【００２２】
なお、出射光が透光部１７から出射するように、反射スラット１３ａと透光スラット１３ｂとは、できるだけ近接して配されるのが好ましく、互いに上位機スライド移動が可能であるならば接していてもよい。また、上記説明では、出射光をスラット１３の長手軸Ｘに垂直な方向に出射させる場合を例に説明したが、反射スラット１３ａと透光スラット１３ｂとの相対位置を調整することによって、出射光を長手軸Ｘに垂直ではない所定の角度で出射させることも可能である。
【００２３】
このように、実施例１の採光装置１０によれば、採光装置１０への入射光の入射方向が変化しても、反射スラット１３ａと透光スラット１３ｂとを相対的にスライド動作させることによって、スラット１３の長手軸に対して一定の角度を有する方向に出射光を出射することが可能である。すなわち、実施例１に係る採光装置１０を用いれば、図５に示すように、例えば、採光装置１０を太陽光の入射する窓４０（図中破線で示す）に設置する場合、窓から入射した光を太陽の位置にかかわらず、常時部屋の所定の位置、例えば天井の所定の領域ＡＲに照射することが可能である。
【００２４】
［実施例２］
以下に、実施例２に係る採光装置１０について説明する。図６は、実施例２に係る発光装置１０の側面図である。実施例２に係る採光装置１０は、スラット１３の傾き角度αが、ヘッドレール１１に近い方のスラットから下部のスラットにかけてだんだん小さくなっている（α１＜α２＜α３＜α４＜α５）以外は、実施例１に係る採光装置１０と同一の構成を有している。
【００２５】
このように傾き角度αを変化させることで、図７に示すように、例えば、採光装置１０を部屋の窓に設置し、採光装置１０の背面から太陽光のような平行光が入射する際に、より上部のスラットに反射された出射光ほど部屋のより奥の天井に到達し、より下部のスラットに反射された出射光ほど部屋のより手前の天井に到達させることができる。これにより、部屋の天井のより広い所定の領域ＡＲに出射光を照射することが可能となる。また、室内にいる人（図中Ｆ）等の物体に出射光を直接当てることなく部屋の天井の広い所定の領域に出射光を物体の影無く照射することが可能となり、また、室内にいる人の目に出射光が直接入らなりようにして、まぶしさを感じることを防止することが可能となる。
【００２６】
なお、上記効果を得るためには、少なくとも反射スラット１３ａの傾き角度αが変化して反射面の角度が変化していればよく、透光スラット１３ｂの角度は、全てのスラット１３において同一であってもよい。
【００２７】
上記実施例においては、スラット１３を５つ有する採光装置１０について説明したが、スラットの数は任意であり、５より少なくともよいし、５より多くともよい。
【００２８】
上記実施例においては、反射スラット１３ａの反射面１５の反射領域１５ａは、曲面鏡であるとしたが、例えば、図３Ｃと同様の反射領域１５ａと透光部１７を含む拡大断面図である図８に示すように、反射領域１５ａを複数の平面鏡を用いて構成することとしてもよい。なお、反射領域１５ａを形成する平面鏡の数は任意である。このように、反射領域１５ａを平面鏡の組み合わせとして形成することで、反射領域１５ａの形状の形成を容易にすることができる。特に、反射スラット１３ａを、樹脂等を成形（射出成形等）して製造する場合に、その成形工程を容易にすることが可能である。
【００２９】
また、例えば、図３Ｃと同様の反射領域１５ａと透光部１７を含む拡大断面図である図９に示すように、反射領域１５ａをフレネル反射面として、例えばリニアフレネル反射鏡として構成することとしてもよい。このようにすることで、上記複数の平面鏡を用いて構成した場合と同様に、反射領域１５ａの形状の形成を容易にすることができる。特に、反射スラット１３ａを、樹脂等を成形（射出成形等）して製造する場合に、その成形工程を容易にすることが可能である。また、リニアフレネル反射鏡として構成することで、反射スラット１３ａの厚さを薄くすることが可能となり、スラットの軽薄化が可能となる。また、スラットの軽薄化により、採光装置１０の前面と後面との間の透視性を高めることも可能である。
【００３０】
上記実施例においては、スラット１３の各々の傾き角度αを一定にするか、またはスラット１３の傾き角度αを、ヘッドレール１１に近い方のスラットから下部のスラットにかけてだんだん小さくすることとしたが、スラット１３の傾き角度αはスラット間で様々に変化させることが可能である。例えば、スラット１３を複数のグループに分けて、グループ内のスラット１３の角度αを一定とし、グループ間で角度αを変化させることによって、部屋の天井を各グループによって照らされる複数の領域に分けて照明することが可能である。
【００３１】
また、上記実施例においては、第１の駆動軸２３及び第２の駆動軸２５のいずれもが移動させられることで、反射スラット１３ａと透光スラット１３ｂとの相対的なスライド移動がなされることとしたが、第１の駆動軸２３または第２の駆動軸２５のいずれかが移動させられることで、反射スラット１３ａと透光スラット１３ｂとの間の相対的なスライド移動がなされてもよい。すなわち、第１の駆動部１９または第２の駆動部２１のいずれかはなくともよく、第１の駆動軸２３または第２の駆動軸２５のいずれかは軸心方向にスライドしないように固定されていてもよい。
【００３２】
上記実施例においては、第１の駆動軸２３及び第２の駆動軸２５は、軸心方向に移動させられることとしたが、第１の駆動軸２３及び第２の駆動軸２５が図１０に示すように、軸心周りに回転させられることしてもよい。この第１の駆動軸２３及び第２の駆動軸２５の回転によって、垂直テープ３１ａ、３３ａを巻き上げ移動させることで、中間テープ３１ｂ、３３ｂの角度を変化させ、スラット１３の角度αを変化させることが可能である。
【００３３】
上記実施例においては、透光スラット１３ｂの透光部１７を開口部とする場合を例に説明したが、透光部１７として形成した開口部を透光性部材で充填してもよい。このようにすることで、透光スラット１３ｂの強度を向上させることができる。また、透光スラット１３ｂを、透光性を有するアクリルもしくはポリカーボネート等の樹脂材またはガラス等で形成し、透光部１７以外の表面部分に不透光材料を塗布することで、透光部１７を形成してもよい。このようにすることで、開口部を形成する切削加工をなくし、製造工程の簡略化が可能となる。
【００３４】
上記実施例においては、第１の駆動部１９及び第２の駆動部２１は、ボタンスイッチまたはリモコン等によって操作されることとしたが、第１の駆動部１９及び第２の駆動部２１が入射光方向感知部（図示せず）を有し、入射光の角度に応じて（例えば、太陽の位置）に応じて、自動で動作することとしてもよい。また、第１の駆動部１９及び第２の駆動部２１が、カレンダー装置及び時計並びに／または方位特定装置を有し、予めプログラミングされた太陽の方向等の情報に従って第１の駆動部１９及び第２の駆動部２１が駆動されることとしてもよい。
【００３５】
また、図１１に示すように、第１の駆動部１９及び第２の駆動部２１を用いずに、第１の駆動軸２３を軸心方向にスライド自在に支持する第１の支持部４１及び第２の駆動軸２５を固定支持する第２の支持部４３を用いてもよい。この場合、一方の第１のラダーテープ懸架部２７から伸張しているラック部３５、ラック部３５と噛合するピニオン部３７及びピニオン部３７を回転させるベルト３９を用いて、第１の駆動軸２３及び第１のラダーテープ懸架部２７を矢印方向にスライド移動させて、反射スラット１３ａと透光スラット１３ｂとを相対的にスライド移動させてもよい。なお、第１の支持部４１が第１の駆動軸２３を固定支持し、第２の支持部４３が第２の駆動軸を軸心方向にスライド自在に支持し、ラック部が第２のラダーテープ懸架部２９から伸張して、それに対応するピニオン部及びベルトが形成され、第２の駆動軸２５及び第２のラダーテープ懸架部２９を矢印方向にスライド移動させて、反射スラット１３ａと透光スラット１３ｂとを相対的にスライド移動させてもよい。また、第１の支持部４１及び第２の支持部４３の両方が、第１の駆動軸２３及び第２の駆動軸２５の各々を軸心方向にスライド自在に支持し、第１のラダーテープ懸架部２７及び第２のラダーテープ懸架部２９の両方からラック部が伸張して、それに対応するピニオン部及びベルトが形成されていてもよい。
【００３６】
なお、上記説明した、反射スラット１３ａと透光スラット１３ｂを相対的にスライド移動させる手段または方法、並びに反射スラット１３ａ及び透光スラット１３ｂの角度αを変化させる手段または方法は一例であり、スラットの動作には上記説明した以外の任意の手段または方法を用いることが可能である。
【００３７】
また、上記実施例においては、出射光が透光部１７を通って出射されることとしたが、出射光は透光部１７を通らなくてもよい。例えば、採光装置１０の側面図である図１２に示すように、透光スラット１３ｂと反射スラット１３ａとが互いに所定の角度を有するように配し、透光スラット１３ｂの入射光（破線）が透光部１７を通過して反射スラット１３ａに達し、反射スラット１３ａによって反射された出射光（実線）が反射スラット１３ａと透光スラット１３ｂとの間から出射することとしてもよい。
【００３８】
上述した実施例における種々の数値、寸法、材料等は、例示に過ぎず、用途及び使用される発光素子等に応じて、適宜選択することができる。
【符号の説明】
【００３９】
１１              採光装置
１３              スラット
１３ａ            反射スラット
１３ｂ            透光スラット
１５              反射面
１７              透光部
１９              第１の駆動部
２１              第２の駆動部
２３              第１の駆動軸
２５              第２の駆動軸
２７              第１の懸架部
２９              第２の懸架部
３１              第１のラダーテープ
３３              第２のラダーテープ
３１ａ、３３ａ    垂直テープ
３１ｂ、３３ｂ    中間テープ
３５              ラック部
３７              ピニオン部
３９              ベルト
【図１】
2014177789.tif 000003
【図２】
2014177789.tif 000004
【図３Ａ】
2014177789.tif 000005
【図３Ｂ】
2014177789.tif 000006
【図３Ｃ】
2014177789.tif 000007
【図４Ａ】
2014177789.tif 000008
【図４Ｂ】
2014177789.tif 000009
【図４Ｃ】
2014177789.tif 000010
【図５】
2014177789.tif 000011
【図６】
2014177789.tif 000012
【図７】
2014177789.tif 000013
【図８】
2014177789.tif 000014
【図９】
2014177789.tif 000015
【図１０】
2014177789.tif 000016
【図１１】
2014177789.tif 000017
【図１２】
2014177789.tif 000018